(57)【要約】【課題】被写体の周辺照度が予め決定された臨界値よりも小さいとき、予め決定された画面上の領域に光透過率の高い白色映像をディスプレイすることで、映像の画質を改善できる移動通信端末機の映像画質改善方法を提供する。【解決手段】撮影する被写体周辺の照度を周期的に検出する段階と、前記検出された照度と予め決定された臨界値とを比較する段階と、前記検出された照度が前記予め決定された臨界値よりも小さいとき、被写体映像の大きさを調節する段階と、前記調節された被写体映像の大きさによって予め決定された画面上の領域に、白色映像をディスプレイする段階とを含むことで移動通信端末機の映像画質を改善する。【選択図】図２
2006121649.tif 000002
【特許請求の範囲】
【請求項１】
撮影する被写体周辺の照度を周期的に検出する段階と、
前記検出された照度と予め決定された臨界値とを比較する段階と、
前記検出された照度が前記予め決定された臨界値よりも小さいとき、被写体映像の大きさを調節する段階と、
前記調節された被写体映像の大きさによって予め決定された画面上の領域に、白色映像をディスプレイする段階と、
を含むことを特徴とする移動通信端末機の映像画質改善方法。
【請求項２】
前記被写体映像の大きさを調節する段階は、前記被写体映像の大きさを、予め決定された大きさに縮小することを特徴とする請求項１に記載の移動通信端末機の映像画質改善方法。
【請求項３】
前記予め決定された大きさは、前記検出された照度に基づいて決定されることを特徴とする請求項２に記載の移動通信端末機の映像画質改善方法。
【請求項４】
前記予め決定された領域は、前記調節された被写体映像の上下左右側の少なくとも何れか一つの領域であることを特徴とする請求項１に記載の移動通信端末機の映像画質改善方法。
【請求項５】
前記画面上の真中に、前記調節された被写体映像がディスプレイされ、該ディスプレイされた被写体映像の上下左右側の予め決定された領域に、前記白色映像がディスプレイされることを特徴とする請求項４に記載の移動通信端末機の映像画質改善方法。
【請求項６】
前記ディスプレイ装置は、ＬＣＤ（Ｌｉｑｕｉｄ  Ｃｒｙｓｔａｌ  Ｄｉｓｐｌａｙ）であることを特徴とする請求項１に記載の移動通信端末機の映像画質改善方法。
【発明の詳細な説明】
【技術分野】
【０００１】
本発明は、移動通信端末機に関するもので、詳しくは、移動通信端末機の映像画質改善方法に関するものである。
【背景技術】
【０００２】
一般に、移動通信端末機は、ＢＳ（Ｂａｓｅ  Ｓｔａｔｉｏｎ）により形成されるサービス領域内で移動しながら、ＭＳＣ（Ｍｏｂｉｌｅ  Ｓｗｉｔｃｈｉｎｇ  Ｃｅｎｔｅｒ）のスイッチング制御を通して、何時何処でも直ちに相手方を無線呼出及び無線接続して通信することができる装置であって、音声通信だけでなく、記号、数字及び文字などからなるデータ通信、並びに、マルチメディア通信が可能である。特に、大型ディスプレイ装置及びカメラを装着することで映像通話を可能にする移動通信端末機の開発が活発に進行されている。
【０００３】
以下、このような被写体映像をディスプレイする従来の移動通信端末機のディスプレイ装置について、図４に基づいて概略的に説明する。
【０００４】
図４は、従来の移動通信端末機のディスプレイ装置を概略的に示す図で、図に示すように、従来の移動通信端末機のディスプレイ装置１０は、前記移動通信端末機に装着されたカメラ（図示せず）を通して入力される被写体映像２０をディスプレイする。このとき、前記移動通信端末機は、複数の補助発光素子３０を前記被写体の背景照明として用いるが、これらの補助発光素子３０を用いるにもかかわらず、前記被写体周辺の照度が低照度と判断されると、スポット光の一つのフラッシュ４０を用いる。ここで、前記複数の補助発光素子３０は、ＬＥＤ（Ｌｉｇｈｔ  Ｅｍｉｓｓｉｏｎ  Ｄｉｏｄｅ）を示す。
【０００５】
このような従来の移動通信端末機は、大型ＬＣＤ（Ｌｉｑｕｉｄ  Ｃｒｙｓｔａｌ  Ｄｉｓｐｌａｙ）液晶及びカメラが装着され、映像通話が可能なように実現されるが、低照度で映像通話を試みる場合は、被写体周辺の照度が暗くて前記大型ＬＣＤ液晶にディスプレイされる被写体の映像が鮮明に見えないため、前記移動通信端末機にフラッシュを装着して用いることで前記被写体の周辺を明るくする方法を用いる。
【発明の開示】
【発明が解決しようとする課題】
【０００６】
しかしながら、従来の移動通信端末機においては、映像通話を行うとき、前記被写体の周辺を明るくするためにスポット光であるフラッシュを用いることで、該フラッシュが前記被写体の直前で焚かれるため、使用者の目が眩しいだけでなく、これにより、自然な表情を見せることができなくなる。
【０００７】
即ち、従来の移動通信端末機においては、被写体の周辺を明るくするためにフラッシュを選択的に用いることで、使用者の目が眩しいだけでなく、これにより、自然な表情を見せることができないため、映像の画質が低下するという不都合な点があった。
【０００８】
本発明は、このような従来の課題に鑑みてなされたもので、被写体の周辺照度が予め決定された臨界値よりも小さいとき、予め決定された画面上の領域に光透過率の高い白色映像をディスプレイすることで、映像の画質を改善できる移動通信端末機の映像画質改善方法を提供することを目的とする。  
【課題を解決するための手段】
【０００９】
このような目的を達成するために、本発明に係る移動通信端末機の映像画質改善方法は、撮影する被写体周辺の照度を周期的に検出する段階と、前記検出された照度と予め決定された臨界値とを比較する段階と、前記検出された照度が前記予め決定された臨界値よりも小さいとき、被写体映像の大きさを調節する段階と、前記調節された被写体映像の大きさによって予め決定された画面上の領域に、白色映像をディスプレイする段階とを含むことを特徴とする。
【００１０】
上記目的を達成するために、本発明は、例えば、以下の手段を提供する。
（項目１）
撮影する被写体周辺の照度を周期的に検出する段階と、
前記検出された照度と予め決定された臨界値とを比較する段階と、
前記検出された照度が前記予め決定された臨界値よりも小さいとき、被写体映像の大きさを調節する段階と、
前記調節された被写体映像の大きさによって予め決定された画面上の領域に、白色映像をディスプレイする段階と、
を含むことを特徴とする移動通信端末機の映像画質改善方法。
（項目２）
前記被写体映像の大きさを調節する段階は、前記被写体映像の大きさを、予め決定された大きさに縮小することを特徴とする項目１に記載の移動通信端末機の映像画質改善方法。
（項目３）
前記予め決定された大きさは、前記検出された照度に基づいて決定されることを特徴とする項目２に記載の移動通信端末機の映像画質改善方法。
（項目４）
前記予め決定された領域は、前記調節された被写体映像の上下左右側の少なくとも何れか一つの領域であることを特徴とする項目１に記載の移動通信端末機の映像画質改善方法。
（項目５）
前記画面上の真中に、前記調節された被写体映像がディスプレイされ、該ディスプレイされた被写体映像の上下左右側の予め決定された領域に、前記白色映像がディスプレイされることを特徴とする項目４に記載の移動通信端末機の映像画質改善方法。
（項目６）
前記ディスプレイ装置は、ＬＣＤ（Ｌｉｑｕｉｄ  Ｃｒｙｓｔａｌ  Ｄｉｓｐｌａｙ）であることを特徴とする項目１に記載の移動通信端末機の映像画質改善方法。
【発明の効果】
【００１１】
本発明に係る移動通信端末機の映像画質改善方法においては、被写体の周辺照度が予め決定された臨界値よりも小さいとき、予め決定された画面上の領域に光透過率の高い白色映像をディスプレイすることで、移動通信端末機の映像画質を改善できるという効果がある。
【発明を実施するための最良の形態】
【００１２】
以下、被写体の周辺照度が予め決定された臨界値よりも小さいとき、予め決定された画面上の領域に光透過率の高い白色映像をディスプレイすることで、映像の画質を改善できる本発明に係る移動通信端末機の映像画質改善方法の好ましい実施形態について、添付の図面に基づいて説明する。
【００１３】
図１は、本発明に係る移動通信端末機の映像画質改善方法を説明するための図で、図に示すように、本発明に係る移動通信端末機においては、予め決定された画面上の領域に光透過率の高い白色映像１０Ａをディスプレイすることで、撮影される被写体映像２０の画質の向上を図ることができる。
【００１４】
図２は、本発明に係る移動通信端末機の映像画質改善方法を示すフローチャートで、図に示すように、本発明に係る移動通信端末機の映像画質改善方法は、被写体周辺の照度を周期的に検出する段階（ステップＳ３１）と、前記検出された照度と予め決定された臨界値とを比較する段階（ステップＳ３３）と、前記検出された照度が前記予め決定された臨界値よりも小さいとき、被写体映像の大きさを調節する段階（ステップＳ３５）と、前記調節された被写体映像の大きさによって予め決定された画面上の領域に、白色映像をディスプレイする段階（ステップＳ３７）とを含む。
【００１５】
以下、このような本発明に係る移動通信端末機の映像画質改善方法をより詳しく説明する。
【００１６】
まず、前記移動通信端末機は、該移動通信端末機に装着されたカメラにより撮影される被写体の周辺照度を周期的に検出し（ステップＳ３１）、該検出された照度を予め決定された臨界値と比較する（ステップＳ３３）。
【００１７】
その比較の結果、前記検出された照度が前記予め決定された臨界値よりも小さいと、前記移動通信端末機は、前記被写体周辺の照度を低照度と認識して、前記被写体映像２０の大きさを調節する（ステップＳ３５）。即ち、前記移動通信端末機は、前記検出された照度に基づいて、前記被写体映像２０の大きさを予め決定された大きさに縮小させる。
【００１８】
次いで、前記移動通信端末機は、前記縮小された被写体映像２０によって予め決定された画面上の領域に、光透過率の高い白色映像１０Ａをディスプレイする（ステップＳ３７）。即ち、前記移動通信端末機は、前記被写体映像２０を上下左右の何れか一つの方向に縮小することで、該縮小された被写体映像２０の大きさだけ、前記白色映像１０Ａをディスプレイすることができる。
【００１９】
従って、本発明に係る移動通信端末機の映像画質改善方法においては、予め決定された画面上の領域に光透過率の高い白色映像１０Ａをディスプレイすることで、該ディスプレイされる白色映像１０Ａを通して発散される光により、被写体周辺の照度を向上させることができる。
【００２０】
以下、本発明に係る移動通信端末機の映像画質改善方法として、予め決定された画面上の領域に光透過率の高い白色映像をディスプレイすることで、撮影される被写体映像の画質をさらに向上できる多様な実施形態について、図３Ａ〜図３Ｃに基づいて説明する。
【００２１】
図３Ａ〜図３Ｃは、本発明に係る移動通信端末機の映像画質改善方法の多様な実施形態を示す図で、図に示すように、本発明に係る移動通信端末機においては、前記被写体映像２０を上下左右の少なくとも何れか一つの方向に縮小させ、該縮小された被写体映像２０によって予め決定された画面上の領域に、光透過率の高い白色映像１０Ａを多様な形状にディスプレイするため、該ディスプレイされた白色映像１０Ａを通して光が発散されることで、撮影される被写体映像２０の画質の向上を図ることができる。
【００２２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００２３】
被写体の周辺照度が予め決定された臨界値よりも小さいとき、予め決定された画面上の領域に光透過率の高い白色映像をディスプレイすることで、映像の画質を改善できる移動通信端末機の映像画質改善方法を提供する。
【００２４】
撮影する被写体周辺の照度を周期的に検出する段階と、前記検出された照度と予め決定された臨界値とを比較する段階と、前記検出された照度が前記予め決定された臨界値よりも小さいとき、被写体映像の大きさを調節する段階と、前記調節された被写体映像の大きさによって予め決定された画面上の領域に、白色映像をディスプレイする段階とを含むことで移動通信端末機の映像画質を改善する。
【図面の簡単な説明】
【００２５】
【図１】本発明に係る移動通信端末機の映像画質改善方法を説明するための図である。
【図２】本発明に係る移動通信端末機の映像画質改善方法を示すフローチャートである。
【図３】Ａ〜Ｃは、本発明に係る移動通信端末機の映像画質改善方法の多様な実施形態を示す図である。
【図４】従来の移動通信端末機のディスプレイ装置を概略的に示す図である。
【符号の説明】
【００２６】
１０  ディスプレイ装置
２０  被写体映像
１０Ａ  白色映像
３０  補助発光素子
【図１】
2006121649.tif 000003
【図２】
2006121649.tif 000004
【図３】
2006121649.tif 000005
【図４】
2006121649.tif 000006